(57)【要約】  家具ヒンジ（１）は、サイド部品（３）が設けられる取り付けプレート（２）と、支持レバー（５）およびガイドレバー（６）を介してサイド部品（３）に回動可能に保持されるヒンジ部品（４）とを備え、サイド部品（３）に対するヒンジ部品（４）の動作を弱めるためにダンパ（１２，１３）が設けられる。この場合、ヒンジ部品（４）、支持レバー（５）またはガイドレバー（６）には接触面（１５）が設けられ、この接触面は、ヒンジ部品（４）の閉動作中に、ダンピング目的でダンパハウジング（１３）またはピストンロッド（１２）に直接に作用する。これにより、容易に嵌合するコンパクトな構造が得られる。【選択図】  図１
2010501756.tif 000002
【特許請求の範囲】
【請求項１】
サイド部品（３）が設けられる取り付けプレート（２）と、支持レバー（５）およびガイドレバー（６）を介して前記サイド部品（３）に回動可能に取り付けられるヒンジ部品（４）とを備え、前記サイド部品（３）に対する前記ヒンジ部品（４）の動作を弱めるためにダンパ（１２，１３）が設けられる家具ヒンジ（１）において、前記ヒンジ部品（４）、前記支持レバー（５）または前記ガイドレバー（６）の接触面（１５）が、前記ヒンジ部品（４）の閉動作中にダンピングのためにダンパハウジング（１３）またはピストンロッド（１２）に直接に作用することを特徴とする、家具ヒンジ（１）。
【請求項２】
前記接触面（１５）が、前記ヒンジ部品（４）、前記支持レバー（５）または前記ガイドレバー（６）と一体に設けられることを特徴とする、請求項１に記載の家具ヒンジ。
【請求項３】
前記接触面（１５）が突出部（１１）に設けられることを特徴とする、請求項１または２に記載の家具ヒンジ。
【請求項４】
前記接触面（１５）を有するウェブ状突出部が前記支持レバー（５）と一体に設けられることを特徴とする、請求項１〜３のいずれか一項に記載の家具ヒンジ。
【請求項５】
前記接触面（１５）が前記ピストンロッド（１２）の一端と接触することを特徴とする、請求項１〜４のいずれか一項に記載の家具ヒンジ。
【請求項６】
前記接触面（１５）が、前記ヒンジ部品（４）が閉位置と１０°〜４０°、好ましくは１５°〜３０°の開放角度との間に配置されるときにだけ前記ピストンロッド（１２）または前記ダンパハウジング（１３）と接触することを特徴とする、請求項１〜５のいずれか一項に記載の家具ヒンジ。
【請求項７】
前記ダンパには、ばね（１４）により、伸張位置へ向けて予め張力が付与されることを特徴とする、請求項１〜６のいずれか一項に記載の家具ヒンジ。
【請求項８】
ダンパの前記ハウジング（１３）が前記サイド部品（２）または前記取り付けプレート（３）に対して固定されることを特徴とする、請求項１〜７のいずれか一項に記載の家具ヒンジ。
【発明の詳細な説明】
【技術分野】
【０００１】
本発明は、サイド部品が設けられる取り付けプレートと、支持レバーおよびガイドレバーを介してサイド部品に回動可能に取り付けられるヒンジ部品とを備え、サイド部品に対するヒンジ部品の動作を弱めるためにダンパが設けられる家具ヒンジに関する。
【背景技術】
【０００２】
ＤＥ２０１１５２５０は、ヒンジ部品上に配置される家具ヒンジ用ダンピング装置を開示している。ピストンロッドが、ヒンジ部品の動作中にダンパハウジング内へ押し込められるとともに、開放動作中に再び伸張位置へと移動される。そのような家具ヒンジは、比較的大きな総空間を必要とするとともに、複雑な構造を有する。
【０００３】
ヒンジ部品がサイド部品に回動可能に保持される家具ヒンジはＥＰ  １５５５３７２から知られている。この目的のため、平行な制御アームの態様で家具ドアなどの可動家具部品に締結されるヒンジ部品を回動させる支持レバーおよびガイドレバーが設けられる。動作を弱めるため、サイド部品には、チェーンリンクを介してガイドレバー上の突出部と結合されるリニアダンパが設けられる。したがって、ガイドレバーの回動中にダンピングが起こる。結合には固定構造が設けられ、そのため、特に家具ドアが位置合わせされることによりヒンジ部品がサイド部品または取り付けプレートに対して調整されるときに許容誤差の限られた補償が可能である。また、チェーンリンクによる結合は比較的複雑であり取り付けるのが難しい。
【発明の概要】
【発明が解決しようとする課題】
【０００４】
したがって、本発明の目的は、簡単な構造と共にヒンジ部品の動作のダンピングを可能にする家具ヒンジを提供することである。
【課題を解決するための手段】
【０００５】
この目的は、請求項１の特徴を有する家具ヒンジによって達成される。
【０００６】
本発明によれば、ヒンジ部品、支持レバーまたはガイドレバーに接触面が設けられ、ヒンジ部品の閉動作中にダンピングのためにダンパハウジングまたはピストンロッドに対して力が直接に作用する。したがって、家具ヒンジの機能および閉動作のダンピングの両方を最小の数の構成部品を用いて得ることができる。また、この構造は、ピストンロッドまたはダンパハウジングがヒンジ部品と結合された接続要素と接続されていないため、取り付けが比較的容易である。むしろ、ダンピングの時間は、ダンパハウジングまたはピストンロッドに対して接触面を接触させることによってもたらされる。この場合、ダンピングの初期点には調整可能な構造も設けられる。
【０００７】
本発明の好ましい実施形態によれば、接触面は、ヒンジ部品、支持レバーまたはガイドレバーと一体に配置されるように設けられる。この場合、接触面を形成する突出部を一体に設けることができる。この突出部は支持レバーに設けられることが好ましい。
【０００８】
接触面がピストンロッドの一端と接触することが好ましい。この場合、ダンパをハウジングにサイド部品または取り付けプレートに対して簡単な態様で固定することができる。また、特定の枠組みでは、接触面の任意の横方向の移動を補償するために、ピストンロッドが接触面上で摺動することもできる。
【０００９】
本発明の更なる実施形態によれば、ダンピングは、ヒンジ部品の回動経路全体にわたっては達成されず、接触面は、ヒンジ部品が閉位置と１０°〜４０°、好ましくは１５°〜３０°の開放角度との間に配置されるときにだけピストンロッドまたはダンパハウジングと接触する。ダンピングは、開放位置の領域で殆ど起こらなければならない。これは、ダンピングが操作に悪影響を与えるからである。急な閉まりは、家具ドアの閉塞前においてのみ防止されるべきである。それが、閉位置の手前の端部領域でのみダンパが作用すれば十分な理由である。
【００１０】
ヒンジ部品が開放されるときにダンパが自動的に伸張位置へと移動されるように、ダンパにはばねによって伸張位置へ向けて予め張力が付与されることが好ましい。
【００１１】
ダンパのハウジングは、サイド部品または取り付けプレートに対して固定されることが好ましい。この場合、ダンピング点の設定を可能にするために、ハウジングをヒンジ部品の長手方向で調整することもできる。
【００１２】
ここで、添付図面に示される実施形態を参照して、本発明を更に詳しく説明する。
【図面の簡単な説明】
【００１３】
【図１】開放位置にある本実施形態に係る家具ヒンジの部分断側面図を示している。
【図２】僅かにだけ開放された位置にある図１の家具ヒンジの図を示している。
【図３】閉位置にある図１の家具ヒンジの図を示している。
【発明を実施するための形態】
【００１４】
金属またはプラスチックから形成される家具ヒンジ１は、家具カーカスに固定することができる取り付けプレート２を備えており、取り付けプレート２上にはサイド部品３が固定された態様で或いは調整可能な態様で設けられる。サイド部品３にはポット状ヒンジ部品４が回動可能に保持される。ヒンジ部品４は、それを回動可能な態様で保持するために家具ドアの凹部内に挿入することができる。
【００１５】
このため、ヒンジ部品４は、支持レバー５およびガイドレバー６を介してサイド部品に接続される。この場合、支持レバー５は、軸８を介してサイド部品と接続されるとともに、軸７を介してヒンジ部品４と接続され、また、ガイドレバー６は、軸９を介してヒンジ部品４と接続されるとともに、軸１０を介してサイド部品３と接続される。
【００１６】
ヒンジ部品４の回動動作を弱めるために、ダンパハウジング１３と直線的に移動できるピストンロッド１２とを備えるダンパが設けられる。ダンパは、流体ダンパとして或いはガス圧ダンパとして設けることができる。ダンパハウジング１３には、ピストンロッド１２を伸張位置へと押圧するばね１４が設けられている。ピストンロッド１２の一端は、支持レバー５と一体に形成される突出部１１に設けられる接触面１５上に当接できる。
【００１７】
図１は、幅広く開放された位置にあるヒンジ部品４を示している。ピストンロッド１２は、ばね１４の力によって伸張位置に位置されている。
【００１８】
図２では、ヒンジ部品４が約４５°の開放角度αを有する僅かにだけ開放された位置へと回動された。この位置では、接触面１５を有する突出部１１がピストンロッド１２の端部から離間され、そのため、ダンパが未だ作用しない。
【００１９】
図３は家具ヒンジ１の閉位置を示している。ヒンジ部品４が回動されると、閉位置の直ぐ手前のほぼ１０°〜４０°の範囲、好ましくは２０°〜３０°の範囲で接触面１５がピストンロッド１２の端部に押し付き、それにより、ピストンロッドがダンパハウジング１３内へと移動される。したがって、ヒンジ部品４の閉動作が弱められる。ヒンジ部品４には、ばねによって、閉位置へ向けて張力が予め付与されており、上記ばねの力は、ダンパハウジング１３内のばね１４の力よりも大きい。
【００２０】
図示の実施形態では、ピストンロッド１２の先端が接触面１５に直接に当接する。無論、ピストンロッド１２に摺動要素を設けることができる。また、接触面１５がダンパハウジング１３に作用することもできる。この場合には、ピストンロッド１２がサイド部品３上または取り付けプレート２上に支持される。
【図１】
2010501756.tif 000003
【図２】
2010501756.tif 000004
【図３】
2010501756.tif 000005
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
サイド部品（３）が設けられる取り付けプレート（２）と、支持レバー（５）およびガイドレバー（６）を介して前記サイド部品（３）に回動可能に取り付けられるヒンジ部品（４）とを備え、前記サイド部品（３）に対する前記ヒンジ部品（４）の動作を弱めるためにダンパ（１２，１３）が設けられる家具ヒンジ（１）において、前記ダンパのハウジングは前記取り付けプレート（３）の前記サイド部品（３）に固定され、前記支持レバー（５）または前記ガイドレバー（６）の接触面（１５）が、前記ヒンジ部品（４）の閉動作中にダンピングのためにピストンロッド（１２）に直接に作用することを特徴とする、家具ヒンジ（１）。
【請求項２】
前記接触面（１５）が、前記ヒンジ部品（４）、前記支持レバー（５）または前記ガイドレバー（６）と一体に設けられることを特徴とする、請求項１に記載の家具ヒンジ。
【請求項３】
前記接触面（１５）が突出部（１１）に設けられることを特徴とする、請求項１または２に記載の家具ヒンジ。
【請求項４】
前記接触面（１５）を有するウェブ状突出部が前記支持レバー（５）と一体に設けられることを特徴とする、請求項１〜３のいずれか一項に記載の家具ヒンジ。
【請求項５】
前記接触面（１５）が前記ピストンロッド（１２）の一端と接触することを特徴とする、請求項１〜４のいずれか一項に記載の家具ヒンジ。
【請求項６】
前記接触面（１５）が、前記ヒンジ部品（４）が閉位置と１０°〜４０°、好ましくは１５°〜３０°の開放角度との間に配置されるときにだけ前記ピストンロッド（１２）または前記ダンパハウジング（１３）と接触することを特徴とする、請求項１〜５のいずれか一項に記載の家具ヒンジ。
【請求項７】
前記ダンパには、ばね（１４）により、伸張位置へ向けて予め張力が付与されることを特徴とする、請求項１〜６のいずれか一項に記載の家具ヒンジ。
【国際調査報告】
2010501756.tif 000006
2010501756.tif 000007
2010501756.tif 000008
2010501756.tif 000009
2010501756.tif 000010
2010501756.tif 000011